(57)【特許請求の範囲】
【請求項１】
遊技盤１の前面に、図柄変動開始用の始動口６ａと、この始動口６ａでの遊技球入賞条件に基づいて特別図柄を変動表示し得る液晶ディスプレイ２１を装備するとともに遊技球誘導用のワープ通路を形成したセンター役物２０が設置されたパチンコ機において、
前記センター役物２０は、図柄用の透視窓を開口した枠状に形成されて遊技盤１の遊技領域に装着される本体部２０ａの前側上段部の左右方向に、凸湾曲状をなす球受用のひさし状部分が遊技領域に向けた突出状態で形成され、このひさし状部分の中央頂上部に、遊技球を受けて後方内部に向けて通入案内する誘導部２４ａが設けられ、前記本体部２０ａの上段部中央部に、前記誘導部２４ａで案内された遊技球を導入する左右横長に開口した導入口２４が形成され、前記導入口２４に対向する後側内部の中央部位に、前記導入口２４から通入した遊技球を左右方向に振り分ける左傾斜面と右傾斜面を有する三角柱状の張出し部分が尖端前向き状態で形成されており、
前記張出し部分を基準位置として、前記本体部２０ａの上段部左右部と本体部２０ａの左右縦側部とに亘り連通されてワープ通路が構成され、導入口２４から通入して左右に振り分けられた遊技球を導入して下端の放出口２６ａ，２６ｂから前記透視窓の左側下部と右側下部とに向けて放出落下する左右の球誘導路２５ａ，２５ｂが対称状に形成配置され、前記本体部２０ａの下段内部の左右方向に球誘導路２５ａ，２５ｂから放出された遊技球を受入れて誘導案内する凹湾曲状の棚板部２９が形成され、この棚板部２９の中央部位に遊技球を受入れて前記始動口６ａに向けて排出案内する前下がり傾斜の放出部３１が形成され、前記棚板部２９の左端隅部と右端隅部に、左右の球誘導路２５ａ，２５ｂの放出口２６ａ，２６ｂから落下排出される球と当接し得る前向き球形状の隆起部分２５ｃ，２５ｃが形成されており、
前記張出し部分の左傾斜面と右傾斜面に、左右の球誘導路２５ａ，２５ｂ内を流通する遊技球を映し見ることができるための傾斜鏡面部２７ａ，２７ｂが導入口２４を透して目視可能に形成されている一方、
前記棚板部２９の左端隆起部分２５ｃと右端隆起部分２５ｃの球外面に、左右の球誘導路２５ａ，２５ｂの放出口２６ａ，２６ｂから前記棚板部２９の左端部と右端部に放出落下される遊技球を映し見ることができるための球面鏡面部２８が前記本体部２０の正面から目視可能に形成されているパチンコ機。
【発明の詳細な説明】
【０００１】
【発明の属する技術分野】
本発明は、いわゆるパチンコ機に関し、詳しくは、遊技球のワープ経路を備えたパチンコ機に関する。
【０００２】
【従来の技術】
近年、パチンコ機におけるパチンコ遊技の高度化・多様化に伴い、遊技盤面に配置される遊技装置も大型化してきている。例えば、センター役物といわれる遊技盤面のほぼ中央に配置される遊技装置は、種々の図柄を表示するための比較的大型の液晶ディスプレイを装備すると共にその周囲には遊技内容にマッチしたデザインが施された合成樹脂製装飾部材等によって高度に装飾化されてきており、大型化の傾向が著しい。その一方で、パチンコ遊技の高度化により、種々の特定入賞口（例えば所定の特別遊技状況を開始させる始動口）を遊技盤面上に設ける必要も生じている。この種の入賞口は、通常、センター役物の下方に相当する遊技領域に配置される場合が多い。しかしながら、上述のようにセンター役物が大型化した結果、パチンコ機の発射装置より遊技盤面上に射出されたパチンコ球（以下「遊技球」という。）を当該センター役物を迂回させつつ上記領域にある入賞口に入賞させることは困難である。
このため、上記遊技領域に配置した入賞口に遊技球をある頻度で入賞させるためには、センター役物の直下方向等に当該遊技球を効率よく誘導し得る誘導手段を設ける必要がある。
【０００３】
ところで、上記目的のための誘導手段の一つとして、いわゆるワープ経路といわれる球誘導路がある。このワープ経路は、遊技盤面上のある地点を流下する遊技球を専用の球誘導路を介して遊技盤面上の他の地点に強制的に誘導するための機構である。すなわち、従来のワープ経路は、大まかにいって、遊技盤面上に射出された遊技球を上記球誘導路に導入するワープ入口と、当該ワープ入口から受け入れられた遊技球を当該入口から異なる所定の解放位置まで誘導する球誘導路と、当該入口から解放位置まで誘導された遊技球を遊技盤面上に再び解放するワープ出口とから構成されている。このようなワープ経路を設けることによって、上記センター役物のような大型の遊技装置に阻まれることなく、当該センター役物の直下方向に遊技球を誘導することが可能となる。
【０００４】
【発明が解決しようとする課題】
しかしながら、上述したような従来のワープ経路を構成する球誘導路は、遊技盤やセンター役物等の遊技装置の背面側に遮蔽された状態で設けられており、当該遮蔽された球誘導路における遊技球の通行状況を遊技者はリアルタイムに確認することができなかった。このため、遊技球がワープ入口に入って遊技者の視界から一旦消失してしまうと遊技者には当該遊技球の行方が判らなくなり、はたして当該遊技球が所定のワープ出口に誘導されているのか否かが確認できなくなりがちである。すなわち、ワープ入口に入った遊技球が、ワープ出口から全球放出されているのか否か判別し難くなる。このことは球誘導路が長くワープ出口に到達するまでに比較的長い時間を要するワープ経路において特に顕著である。然るに、このような遮蔽された球誘導路における遊技球の通行状況の非確認状態は、当該遊技者に遊技球の行方が判らないことに起因するパチンコ遊技に対する不信感や焦燥感（苛立ち）を生じさせることになるため好ましくない。
【０００５】
本発明は従来のパチンコ機に設けられたワープ経路に関する上記従来の問題点を解決するものであり、その目的とするところは、いわゆるワープ経路を構成する上記球誘導路における遊技球の存在あるいはその通行状況を遊技者が把握し得る手段が備えられたパチンコ機を提供することである。
【０００６】
【課題を解決するための手段】
上記目的を達成するため、本発明においては、遊技盤の前面に、図柄変動開始用の始動口と、この始動口での遊技球入賞条件に基づいて特別図柄を変動表示し得る液晶ディスプレイを装備するとともに遊技球誘導用のワープ通路を形成したセンター役物が設置されたパチンコ機において、前記センター役物は、図柄用の透視窓を開口した枠状に形成されて遊技盤の遊技領域に装着される本体部の前側上段部の左右方向に、凸湾曲状をなす球受用のひさし状部分が遊技領域に向けた突出状態で形成され、このひさし状部分の中央頂上部に、遊技球を受けて後方内部に向けて通入案内する誘導部が設けられ、前記本体部の上段部中央部に、前記誘導部で案内された遊技球を導入する左右横長に開口した導入口が形成され、前記導入口に対向する後側内部の中央部位に、前記導入口から通入した遊技球を左右方向に振り分ける左傾斜面と右傾斜面を有する三角柱状の張出し部分が尖端前向き状態で形成されており、前記張出し部分を基準位置として、前記本体部の上段部左右部と本体部の左右縦側部とに亘り連通されてワープ通路が構成され、導入口から通入して左右に振り分けられた遊技球を導入して下端の放出口から前記透視窓の左側下部と右側下部とに向けて放出落下する左右の球誘導路が対称状に形成配置され、前記本体部の下段内部の左右方向に球誘導路から放出された遊技球を受入れて誘導案内する凹湾曲状の棚板部が形成され、この棚板部の中央部位に遊技球を受入れて前記始動口に向けて排出案内する前下がり傾斜の放出部が形成され、前記棚板部の左端隅部と右端隅部に、左右の球誘導路の放出口から落下排出される球と当接し得る前向き球形状の隆起部分が形成されており、前記張出し部分の左傾斜面と右傾斜面に、左右の球誘導路内を流通する遊技球を映し見ることができるための傾斜鏡面部が導入口を透して目視可能に形成されている一方、前記棚板部の左端隆起部分と右端隆起部分の球外面に、左右の球誘導路の放出口から前記棚板部の左端部と右端部に放出落下される遊技球を映し見ることができるための球面鏡面部が前記本体部の正面から目視可能に形成されているパチンコ機を提供する。
【０００７】
なお、本明細書において「パチンコ機」は、いわゆるパチンコ遊技を行なうための弾球遊技機の総称であり、特定の遊技によって限定されることを意図したものではない。従って、一般的なパチンコ遊技（典型的には、鋼球を遊技盤上の所定の入賞口に入れて所定の賞品球を獲得する遊技）の他、一定数の鋼球（遊技球）を遊技盤面上に射出して所定の当たり状態の成立を目的とする所謂アレンジボール遊技等を行なう弾球遊技機も、本明細書における「パチンコ機」に包含される。
【０００８】
本発明のパチンコ機では、球誘導路に受け入れられた遊技球を当該球誘導路を通行している間に外部から感知することが可能となり、遊技者は遊技盤の正面側（即ちパチンコ機の正面側）から遮蔽されている上記球誘導路における遊技球の存在を把握することができる。このため、遊技者は当該遊技球が遊技盤面上（遊技盤面上に配置されている各種遊技装置の遊技盤面側露出部分を含む。）に再び解放されることを把握（予見）しつつパチンコ遊技を行うことができる。従って、本発明のパチンコ機によれば、球誘導路に受け入れられた遊技球の行方が判らなくなることに起因するパチンコ遊技に対する不信感や焦燥感（苛立ち）が遊技者に生じるのを抑止することができる。
【０００９】
また、本発明のパチンコ機において、上記遊技球把握手段は、上記球誘導路を通行している遊技球の移動に対応して当該遊技球のそのときの存在位置が外部から即時に把握されるように構成されていることが好ましい。なお、ここで遊技球に関して存在位置が把握されるとは、球誘導路上を転動する遊技球の大まかな存在位置が外部から理解し得ることを示す用語である。このようなパチンコ機によれば、球誘導路上の遊技球の存在に加えて、当該遊技球の存在する位置をリアルタイムに把握することができる。このため、遊技者は上記球誘導路における遊技球の通行状況をさらに明確に把握することが可能となり、遊技者がパチンコ遊技に対する不信感や焦燥感（苛立ち）を感ずるのをさらに効果的に抑止することができる。
【００１０】
また、上記課題を解決する好ましい本発明のパチンコ機において、上記遊技球把握手段は、球誘導路を通行している遊技球のミラーイメージを表示するように構成されていることが好ましい。本発明のパチンコ機では、球誘導路を通行している遊技球をミラーイメージ（鏡像）によって視認し得る。このため、遊技者は当該遊技球の存在および通行状況を映像的に直接確認することが可能となり、遊技者がパチンコ遊技に対する不信感や焦燥感（苛立ち）を感ずるのをさらに効果的に抑止することができる。
【００１１】
【発明の実施の形態】
本発明は典型的には以下のように実施され得る。
【００１２】
上記遊技球把握手段は遊技球が該放出口から解放されるまでの間に当該遊技球の存在を遊技者が感知し得るように構成された機構であり、そのような目的に合致するものとしては後述するように種々の形態が挙げられるが、上記遊技球把握手段として、上記球誘導路を通行している遊技球が上記放出口から解放される直前に当該解放されようとしている遊技球の存在を遊技者が感知し得るように構成された排球表示部、および／または、上記導入口から上記球誘導路に遊技球が受け入れられた直後に当該受け入れられた遊技球の存在を遊技者が感知し得るように構成された入球表示部が形成されているパチンコ機が好ましい。すなわち、本発明の遊技球把握手段として上記排球表示部を備えることによって、球誘導路に受け入れられ当該球誘導路を通行してきた遊技球がもうすぐ遊技盤面上（遊技盤面上に配置されている各種遊技装置の遊技盤面側露出部分を含む。）に再び解放されることを遊技者は外部から知ることができる。他方、本発明の遊技球把握手段として上記入球表示部を備えることによって、球誘導路に入った直後の遊技球の存在についても外部から容易に把握することができる。従って、本発明の遊技球把握手段として上記排球表示部と入球表示部とを両方備えたパチンコ機が特に好ましい。このようなパチンコ機によれば、遊技者は上記球誘導路における遊技球の通行状況を球誘導路に入ったときと球誘導路から放出されるときの両側面から把握することができる。
【００１３】
また、上記課題を解決するパチンコ機において、上記排球表示部が上記遊技球の放出口の近傍に設けられており、当該放出口と当該排球表示部を同じ視野内で視認することができるパチンコ機、および／または、上記入球表示部が上記遊技球の導入口の近傍に設けられており、当該導入口と当該入球表示部を同じ視野内で視認することができるパチンコ機が特に好ましい。このようなパチンコ機によれば、球誘導路を通行してきた遊技球とその遊技球が上記放出口から放出される状態を視野を変えずに即座に把握することができるとともに、遊技盤における放出口の位置（即ちどこから遊技球が放出されるのか）を即時に認識することができる。また、上記導入口に入っていく遊技球とその遊技球の球誘導路における通行状況を視野を変えずに即座に把握することができるとともに、当該遊技球が球誘導路に受け入れられたことを即時に把握することができる。
【００１４】
また、本発明のパチンコ機として好ましいものは、上記排球表示部および／または入球表示部が球誘導路を通行している遊技球のミラーイメージを表示するように構成されているパチンコ機である。このようなパチンコ機では、上記排球表示部および／または入球表示部において、球誘導路を通行している遊技球をミラーイメージ（鏡像）によって視認し得るため、遊技者は当該遊技球の存在および通行状況を映像的に直接確認することが可能となり、遊技者がパチンコ遊技に対する不信感や焦燥感（苛立ち）を感ずるのをさらに効果的に抑止することができる。
【００１５】
また、ミラーイメージを表示し得る排球表示部および／または入球表示部がそれぞれ上記遊技球の放出口および／または導入口の近傍に設けられており、当該放出口と排球表示部および／または当該導入口と入球表示部を同じ視野内で視認することができるパチンコ機が特に好ましい。
このようなパチンコ機では、球誘導路に受け入れられる直前まで肉眼で直接確認（追跡）していた遊技球が当該球誘導路に受け入れられたことをミラーイメージによって目を離さずに連続的に確認することができる。あるいは、球誘導路から放出される直前の遊技球をミラーイメージによって把握し得るとともに視点を変えることなくそのまま当該球誘導路から放出された当該遊技球を肉眼で直接確認（追跡）することができる。このため、このような態様のパチンコ機によれば、球誘導路に遊技球がまさに受け入れられたことおよびそのときの通行状況、および／または、球誘導路から遊技球が放出されようとしていることおよびそのときの通行状況を、当該遊技球を見失うことなくダイレクトに確実に認識することができる。従って、このような態様のパチンコ機によれば、遊技者がパチンコ遊技に対する不信感や焦燥感（苛立ち）を感ずるのをさらに効果的に抑止することができる。
【００１６】
以下、本発明によって提供される本発明のパチンコ機の好適な実施形態を説明する。なお、図１は、本実施形態に係る本発明のパチンコ機に装備される遊技盤１を示す正面図である。なお、本発明のパチンコ機においては、後述する本発明を特定するもの以外の部分（金枠形状、遊技球発射装置、賞球払出装置、等）は、従来のパチンコ機におけるものと同様であればよく、なんら本発明を特徴付けるものではないため、これらについての詳細な説明および図示は省略する。
【００１７】
図１に示すように、本パチンコ機に装着された遊技盤１は、従来のパチンコ機に使用されるものと同様、平板状のパネル部材１ａと当該パネル部材１ａ上に装着された後述する種々の遊技用構造物・装置類とから構成されている。このパネル部材１ａの表面には、パチンコ機の発射装置（図示せず）から発射されたパチンコ球を遊技盤１上部に誘導するための誘導レール２が円形渦巻き状に装着されている。そして、この誘導レール２によって包囲された内側の領域が本遊技盤１における遊技領域である。この遊技領域のほぼ中央部分には、本実施形態に係る遊技球把握手段（詳細は後述）を備えた大型遊技装置すなわちセンター役物２０が組み込まれている。このセンター役物２０は後述する特別図柄を表示するための装置であってその中央部分には液晶ディスプレイ２１が備えられている。
【００１８】
一方、このセンター役物２０の周囲には、本パチンコ機におけるパチンコ遊技のための種々の遊技用構造物が配置されている。すなわち、遊技盤１上に射出された遊技球の落下速度や方向を調節するための多数の遊技釘（図示せず）や風車３ａ，３ｂとともに一般入賞口４ａ，４ｂが設けられている。また、センター役物２０の下方には、可動片７を備えるとともに第１種始動口６ａを構成する変動入賞装置６が備えられている。その入賞装置６の両サイドには遊技球通過ゲート５ａ，５ｂが備えられている。
さらに当該入賞装置６の下方には、大当たり時に開放する大入賞口１１を構成する特別入賞装置１０（アタッカー）が備えられている。この特別入賞装置１０は本発明に係る図柄表示装置としても機能し得る装置である。すなわち、図１に示すように、大入賞口１１の下には７セグメントＬＥＤからなる普通図柄表示部１２が装備されている。一方、この特別入賞装置１０の下方（即ち遊技領域の最下部）にはいずれの入賞口にも入賞しなかった遊技球を回収するためのアウト口８が設けられている。
【００１９】
次に、上記構成からなる遊技盤１を備えたパチンコ機において実施されるパチンコ遊技について説明する。
本実施形態にかかる遊技盤１は、いわゆる第１種パチンコ遊技を実施するためのものであり、上述の各種遊技装置の動作は、パチンコ機本体（典型的には遊技盤１の裏面側）に設けられた制御部によって遊技内容およびその進行状況に応じて制御されている。すなわち、本遊技盤１に射出された遊技球が遊技球通過ゲート５ａ，５ｂを通行すると上記特別入賞装置１０の普通図柄表示部１２において図柄（ここでは７セグメントＬＥＤによる０〜９の数字）が変動する。なお、この普通図柄変動時にさらに遊技球が上記ゲート５ａ，５ｂを通行した場合、４回まで変動機会が保留される。従って、普通図柄変動時にさらに遊技球が上記ゲート５ａ，５ｂを４回通行した場合、いわゆる普通図柄変動についての保留満タン状態となり、それ以上の通行は無視される。なお、保留されている回数は、当該普通図柄表示部１２に併設された計４個の保留表示ランプ１３のうちの対応する数だけの点灯によって遊技者に認知される。
而して、普通図柄表示部１２において普通図柄が所定時間（例えば２０秒間）変動した後に所定の当たり図柄（例えば７）が表示された場合、上記変動入賞装置６の可動片７が開いて第１種始動口６ａが所定時間（ここでは１秒間）大きく開放される。
【００２０】
第１種始動口６ａに遊技球が入球（通行）すると上記センター役物２０の液晶ディスプレイ２１において特別図柄が変動する。なお、この特別図柄変動時にさらに遊技球が第１種始動口を通行した場合、４回まで変動機会が保留される。従って、特別図柄変動時にさらに遊技球が第１種始動口６ａを４回通行した場合、いわゆる特別図柄変動についての保留満タン状態となり、それ以上の通行（入球）は無視される。なお、保留されている回数は、液晶ディスプレイ２１の上方に設けられた計４個の保留表示ランプ２３のうちの対応する数だけの点灯によって遊技者に認知される。
而して、液晶ディスプレイ２１に所定の当たり図柄（ここでは７７７）が表示された場合には、特別入賞装置１０における大入賞口１１が、所定の時間（典型的には３０秒間若しくは１０個の遊技球が入賞するまでの間）開放する。そして、当該大入賞口１１より入賞した遊技球が当該大入賞口１１の内部（好ましくは、遊技盤１裏面側に設けられた球通路の一部）にある特別入賞区域（以下「Ｖゾーン」という。）を通過した場合には、一旦閉じた大入賞口１１が再び所定時間開放することとなる。この反復動作は典型的には最大１６回継続される。
【００２１】
次に本発明を特徴付ける上記センター役物２０の詳細について説明する。上述のとおり、本パチンコ機における遊技ではセンター役物２０の下方に配置されている第１種始動口６ａに遊技球を効率的に誘導する必要がある。而して、このことを実現するため、本センター役物２０には後述するワープ経路が備えられている。以下、詳述する。
図２に示すように、本センター役物２０は、液晶ディスプレイ２１を組み込んだ枠状に成形された合成樹脂製の本体部２０ａを主要構成部材としており、遊技盤１の中央部に設けられた取付け開口部（図示せず）にビスｖによって取り付けられている。この本体部２０ａの液晶ディスプレイ２１の上方から側方にかけて本体部２０ａの表面材によって遮蔽された状態で本パチンコ機におけるワープ経路に相当する球誘導路２５ａ，２５ｂが左右対称に形成されている。而して、図２に示すように、液晶ディスプレイ２１の上方のほぼ中央部には、上記球誘導路２５ａ，２５ｂに連通するワープ入口すなわち導入口２４が形成されている。図２のIII −III 線断面図である図３に示すように、液晶ディスプレイ２１の上方であってひさし状に遊技盤１前方に突出した部分の中央付近には、上記導入口２４方向へ下がり傾斜が形成された誘導部２４ａが設けられており、そこに当たった遊技球Ｂを導入口２４内に誘導することができる。
導入口２４内方の奥壁部は三角柱状に出っ張っており（図３参照）、当該導入口２４に入った遊技球Ｂを左右いずれかの球誘導路２５ａ，２５ｂに振り分ける。なお、本センター役物２０では当該三角柱状出っ張り部分に本発明の遊技球把握手段として入球表示部が形成されている。このことについては後述する。
【００２２】
一方、図２に示すように、当該球誘導路２５ａ，２５ｂは、中央から両端に向かって下がり傾斜が設けられており、当該傾斜に沿って遊技球Ｂは転動する。而して、図２におけるIV−IV線断面図である図４に示すように、球誘導路２５ａ，２５ｂはその両端から垂直方向に形成されている。このため、その両端に至った遊技球Ｂは当該垂直方向部分を落下し、球誘導路２５ａ，２５ｂ末端部に設けられたワープ出口すなわち放出口２６ａ，２６ｂから液晶ディスプレイ２１の前方に設けられた棚板部２９上に落下する。なお、放出口２６ａ，２６ｂの下方には隆起部分２５ｃが形成されている。この部分には本発明の遊技球把握手段として排球表示部が形成されている。このことについては後述する。
【００２３】
この棚板部２９は両端部から中央部に向かって下がり傾斜が形成されており、落下した遊技球Ｂは、棚板部２９を中央方向に転動する。なお、棚板部２９には遊技球誘導フェンス２９ａ，２９ｂが設けられており、落下した遊技球Ｂはその落下した位置が微妙に異なることに関わらず当該フェンスに誘導されて同じ経路をたどって棚板部２９の中央寄りに導かれる（図６参照）。なお、この棚板部２９は遊技盤前方に向かってやや下がり傾斜が設けられているため、棚板部２９の中央寄りに導かれた遊技球Ｂはそこから遊技盤面上に放出される。このように、本ワープ経路を設けたことによって、センター役物２０の外形に阻まれることなく、遊技球Ｂをセンター役物２０の下方に誘導することができる。
【００２４】
また、図２に示すように、この棚板部２９の中央付近には、左右一対の同形状の回転ローラ３０ａ，３０ｂが備えられており、当該部分に転動してきた遊技球Ｂを当該ローラ３０ａ，３０ｂの回転方向に沿って誘導することができる。
図２におけるV −V 線断面図である図５に示すように、センター役物２０の背面側にはモータ３２が備えられており、その回転軸３２ａには駆動歯車３３が装着されている。この駆動歯車３３にはさらに第一歯車３４ｂが噛合されて装着されている。図５に示すように、この第一歯車３４ｂには取付け軸３４ｃが突設されており、その先端部は棚板部２９の上方に露出している。而して、その部分には回転ローラ３０ｂが回転可能に設置されている。一方、図６に示すように、第一歯車３４ｂにはさらに第二歯車３５が噛合されて装着されている。第二歯車３５には当該第二歯車３５と同形状の第三歯車３６が噛合されて装着されており、さらにその第三歯車３６には、上記第一歯車３４ｂと同形状の第四歯車３４ａが噛合されて装着されている。而して、第四歯車３４ａには上記取付け軸３４ｃと同じ形状の取付け軸（図示せず）が突設されており、同様に回転ローラ３０ａが棚板部２９上に回転可能に設置されている。なお、図６に示すように、この回転ローラ３０ａ，３０ｂは、上から見て４つの湾曲辺を有する方形状に形成されており、当該湾曲辺には遊技球Ｂが一時的に停留し得る程度の窪みが形成されている。
【００２５】
このようにして左右一対の回転ローラ３０ａ，３０ｂが設けられた結果、上記モータ３２を作動させて駆動歯車３３を回転させることにより、それに対応して当該一対の回転ローラ３０ａ，３０ｂが相互に反対方向に同速度で回転することとなる（図６の矢印参照）。なお、この二つの回転ローラ３０ａ，３０ｂの間に位置する棚板部２９の一部分には、当該棚板部２９の他の部分よりも若干低く段差を設け且つ前方方向に下がり傾斜が設けられた放出部３１が形成されている。このため、放出部３１に到達した遊技球Ｂはそこから遊技盤１の下方に向けて流下する。
【００２６】
以上のように構成した結果、回転ローラ３０ａ，３０ｂの回転方向を調整することによって、上記球誘導路２５ａ，２５ｂから棚板部２９に落下してきた遊技球Ｂの遊技盤面上への流下方向を適宜変更することができる。
すなわち、モータ３２を正方向に回転駆動させて二つの回転ローラ３０ａ，３０ｂを図６に示す矢印方向に回転させた場合において、棚板部２９に落下した遊技球Ｂは回転ローラ３０ａ，３０ｂに接触した後に当該回転ローラ３０ａ，３０ｂの回転方向に沿って外側寄りに誘導される（図中の矢印参照）。従って、二つの回転ローラ３０ａ，３０ｂを図６に示す矢印方向に回転させた場合では、遊技球Ｂは上記放出部３１に誘導され難い状態となっている。
一方、モータ３２を逆方向に回転駆動させて二つの回転ローラ３０ａ，３０ｂを図７に示す矢印方向に回転させた場合において、棚板部２９に落下した遊技球Ｂは回転ローラ３０ａ，３０ｂに接触した後に当該回転ローラ３０ａ，３０ｂの回転方向に沿って一旦内側寄りに誘導される（図中の矢印参照）。従って、二つの回転ローラ３０ａ，３０ｂを図７に示す矢印方向に回転させた場合、遊技球Ｂは上記放出部３１に誘導され易い。この結果、遊技球Ｂは当該放出部３１から遊技盤１面上に流下していくため、上記第１種始動口６ａへの遊技球の通行率（即ち入球率）が向上する。而して、本センター役物２０によれば、パチンコ遊技状況に応じて回転ローラ３０ａ，３０ｂの回転方向を適宜異ならせることによって、上記ワープ経路（球誘導路２５ａ，２５ｂ）を誘導されてきた遊技球Ｂの第１種始動口６ａへの入球率を異ならせることができる。このため、パチンコ遊技を多様化させることができる。
【００２７】
次に、本実施形態に係る上記遊技球把握手段について説明する。
図３に示すように、上記三角柱出っ張り部分の表面には鏡面処理が施されており、良好な光反射性が付与された鏡面部２７ａ，２７ｂが本発明における遊技球把握手段（ここでは入球表示部）を具現化するものとして形成されている。このような鏡面部２７ａ，２７ｂは、合成樹脂表面をクロムメッキ処理等することによって得られる。あるいは、光反射性のよい鏡面加工されたシール（ここでは鏡面シールと呼ぶ）を当該部分に貼り付けてもよい。
このように上記三角柱出っ張り部分の表面に鏡面部２７ａ，２７ｂを設けたことによって、遊技者は、球誘導路２５ａ，２５ｂに入った遊技球Ｂを当該鏡面部２７ａ，２７ｂに映った鏡像によって導入口２４前方から感知することができる（図３）。すなわち、遊技者は、導入口２４から球誘導路２５ａ，２５ｂに受け入れられた遊技球Ｂが確かに当該球誘導路２５ａ，２５ｂを通行していることを映像（ここではミラーイメージ）によって直接的に確認することができる。このとき、導入口２４と鏡面部２７ａ，２７ｂが近接して設けられている結果、遊技者は同じ視野の中で即座に遊技球の存在およびその通行状況を把握することができる。また、ミラーイメージの状態（例えば像が大きいか小さいか）によって、球誘導路２５ａ，２５ｂ上を転動する遊技球Ｂの大まかな存在位置をリアルタイムに把握することができる。
【００２８】
一方、図４に示すように、上記隆起部分２５ｃの表面は鏡面処理が施されており、良好な光反射性が付与された鏡面部２８が形成されている。この鏡面部２８は、上記鏡面部２７ａ，２７ｂと同様、樹脂表面をクロムメッキ処理したり、鏡面シールを貼り付けることによって得られる。
而して、図４に示すように、球誘導路２５ａ，２５ｂに入った遊技球Ｂは、当該鏡面部２８に映った鏡像によってセンター役物２０の前方から確認することができる。すなわち、遊技者は、球誘導路２５ａ，２５ｂを通行（ここでは落下）してきた遊技球Ｂがもうすぐ遊技盤面側露出部分（ここでは棚板部２９）に再び解放されるところであることを映像（ここではミラーイメージ）によって直接的に確認することができる。このとき、放出口２６ａ，２６ｂと鏡面部２８が近接して設けられている結果、遊技者は同じ視野の中で即座に遊技球の存在およびその通行状況を把握することができる。また、ミラーイメージの状態（例えば像が大きいか小さいか）によって、球誘導路２５ａ，２５ｂ上を落下する遊技球Ｂの大まかな存在位置をリアルタイムに把握することができる。
【００２９】
以上のとおり、本実施形態に係る入球表示部および排球表示部からなる遊技球把握手段によれば、球誘導路２５ａ，２５ｂの全域において遊技球Ｂの存在および通行状況さらには遊技球の大まかな存在位置を即時に把握することができる。このため、本パチンコ機によれば、球誘導路２５ａ，２５ｂに受け入れられた遊技球Ｂの行方が判らなくなることに起因するパチンコ遊技に対する不信感や焦燥感（苛立ち）が遊技者に生じるのを効果的に抑止することができる。
【００３０】
なお、特に限定するものではないが、上記球誘導路２５ａ，２５ｂ内が暗い場合には球誘導路２５ａ，２５ｂを包囲している壁面あるいは当該壁面越しに、当該球誘導路２５ａ，２５ｂ内を照らすためのランプを装備することが好ましい。これにより、鏡面部２７ａ，２７ｂ，２８に写される遊技球Ｂのミラーイメージがより明瞭となり、遊技者はさらに明確に球誘導路２５ａ，２５ｂ内における遊技球Ｂの存在およびその通行状況を視認することができる。
【００３１】
以上、本発明のパチンコ機の好適な一実施形態を説明したが、本発明をこの実施形態に限定することを意図したものではない。以下、本発明のパチンコ機として好適な第二の実施形態を説明する。
図８に示すように、本実施形態に係るパチンコ機の遊技盤１には、大型のセンター役物５０と、チャッカータイプの導入口６０ａ，６０ｂと、その導入口６０ａ，６０ｂと当該センター役物５０に設けられた放出口５６ａ，５６ｂとを連通するために遊技盤１パネル部材１ａの裏側に設けられた球誘導路６２とが備えられている。なお、本実施形態では上記構成に係るもの以外は、上記第一の実施形態に係るパチンコ機と異なるところがなく、重複した説明は省略する。以下、本実施形態に係るワープ経路および遊技球把握手段について説明する。
【００３２】
図８に示すように、本実施形態に係るセンター役物５０は、上記第一実施形態におけるのと同様、種々の図柄を表示・変動し得る液晶ディスプレイ５１を備えており、その液晶ディスプレイ５１を包囲するように形成された本体部５０ａは所定の形状に予め成形された合成樹脂製であり、遊技盤１パネル部材１ａの中央部に設けられた取付け開口部（図示せず）にビスｖによって取り付けられている。この本体部５０ａの液晶ディスプレイ５１の上方の頂端部には普通入賞口５２が形成されると共にその周辺部には複数の光源５３を内蔵した装飾部材５４が装着されている。これら光源５３は図示しない制御部によってパチンコ遊技状況に応じて点灯制御されている。
【００３３】
このセンター役物５０の両側方には、チャッカータイプの導入口６０ａ，６０ｂが形成されており、図８のIX−IX線断面図である図９に示すように、遊技盤１（パネル部材１ａ）の裏面側には、当該導入口６０ａ，６０ｂに連なる球誘導路６２が設けられている。一方、このセンター役物５０における液晶ディスプレイ５１の両側方の下部には本実施形態に係るワープ出口すなわち放出口５６ａ，５６ｂが設けられている。而して、上記球誘導路６２の一端はこの放出口５６ａ，５６ｂに接続している（図９）。これにより、図９に示すように、上記導入口６０ａ，６０ｂに入球した遊技球Ｂは、遊技盤１裏側の球誘導路６２を通ってセンター役物５０（すなわち放出口５６ａ，５６ｂ）に運ばれる。
【００３４】
一方、液晶ディスプレイ５１の下方であって上記放出口５６ａ，５６ｂの下方には、上記第一実施形態に係るセンター役物２０と同様、上記放出口５６ａ，５６ｂから解放された遊技球Ｂを受け止める棚板部５７が形成されており、両端から中央に向けて下がり傾斜が形成されている。これにより、上記球誘導路６２を通ってセンター役物５０に運ばれて上記放出口５６ａ，５６ｂから出た遊技球Ｂは、そのまま棚板部５７上を転動し、その中央部に設けられた放出部５８から第１種始動口６ａ方向（図１参照）に流下される。
このように、本実施形態にかかるワープ経路によっても、センター役物５０の下方に効果的に遊技球Ｂを誘導し得る。
【００３５】
次に、本実施形態に係る遊技球把握手段について説明する。図８に示すように、液晶ディスプレイ５１の側方であって、放出口５６ａ，５６ｂのほぼ真横に相当する部位には本実施形態に係る排球表示部に相当する半球面形状に隆起した鏡面部５９ａ，５９ｂが形成されている。この鏡面部５９ａ，５９ｂは、上記第一実施形態と同様、隆起部分の表面を鏡面処理（クロムメッキ処理）することによって形成されている。なお、鏡面部５９ａ，５９ｂの半球面形状は、山岳道路に設置されているカーブミラーのように、センター役物５０の正面方向からみた場合に球誘導路上にある遊技球Ｂのミラーイメージがちょうど当該鏡面部５９ａ，５９ｂに映るように形成されている。
【００３６】
このように排球表示部を設けることによって、従来はパチンコ機を開放して遊技盤１の裏面側から確認せざるを得なかったような、遊技盤１裏面に設けられた球誘導路６２上に存在する遊技球Ｂを、遊技者は当該鏡面部５９ａ，５９ｂに映った鏡像によってセンター役物５０の前方（即ちパチンコ機の正面側）から感知することができる（図９）。
すなわち、遊技者は、球誘導路６２を通行してきた遊技球Ｂがもうすぐ遊技盤面側露出部分（ここでは棚板部５７）に再び解放されるところであることを映像（ミラーイメージ）によって直接的に即座に確認することができる。このとき、放出口５６ａ，５６ｂと鏡面部５９ａ，５９ｂが相互に近接して設けられている結果、遊技者は同じ視野の中で即座に遊技球の存在およびその通行状況を把握することができる。また、ミラーイメージの状態（例えば像が大きいか小さいか）によって、球誘導路６２上を移動する遊技球Ｂの大まかな存在位置をリアルタイムに把握することができる。なお、本実施形態においては、鏡面部５９ａ，５９ｂの形状を半球面形（図９）としたがこれに限らず、ミラーイメージを映し得るのに適切な角度を設けた平面形の鏡面部としてもよい。
以上のとおり、本実施形態における排球表示部からなる遊技球把握手段によれば、球誘導路６２のほぼ全域において遊技球Ｂの存在および通行状況を把握することができる。このため、本パチンコ機によれば、球誘導路６２に受け入れられた遊技球Ｂの行方が判らなくなることに起因するパチンコ遊技に対する不信感や焦燥感（苛立ち）が遊技者に生じるのを効果的に抑止することができる。
【００３７】
さらに、本実施形態においては、球誘導路６２の周囲にランプ６５ａ，６５ｂ，６５ｃを配置しており、鏡面部５９ａ，５９ｂに映る遊技球Ｂのイメージが明瞭である。すなわち、図９に示すように、本実施形態においては、球誘導路６２の側壁部６２ａが透明（若しくは光透過性のよい半透明）な樹脂で形成されており、その外側において、ランプ６５ａ，６５ｂ，６５ｃを備えたランプ基板６６ａ，６６ｂが装備されている。これにより、球誘導路６２内を明るく照らすことができる。従って、鏡面部５９ａ，５９ｂに映される遊技球Ｂのミラーイメージがより明瞭となり、遊技者はさらに明確に球誘導路６２内における遊技球Ｂの存在およびその通行状況を視認することができる。
【００３８】
また、このようにランプ６５ａ，６５ｂ，６５ｃを設けた結果、遊技球Ｂの通行状況によって鏡面部５９ａ，５９ｂの輝度が変動する。このため、鏡面部５９ａ，５９ｂに映る遊技球Ｂのミラーイメージを把握することなく鏡面部５９ａ，５９ｂの明暗を感知することによって遊技球Ｂの存在および大まかな存在位置を把握することができる。すなわち、図９に示すように、計三個のランプ６５ａ，６５ｂ，６５ｃが球誘導路６２を照らしている場合、その光が鏡面部５９ａ，５９ｂに到達するために鏡面部５９ａ，５９ｂは比較的明るい。そして、球誘導路に遊技球が入ったとき（図９の状態）、まず球誘導路６２の端部に配置されたランプ６５ｃの鏡面部５９ａ，５９ｂへの光路が遮られることとなり、そのぶんだけ鏡面部５９ａ，５９ｂは暗くなる。そして、球誘導路６２を遊技球Ｂが転動し、さらにもう一つのランプ６５ｂの鏡面部５９ａ，５９ｂへの光路も遮られると当該鏡面部５９ａ，５９ｂはさらにそのぶんだけ暗くなる。而して、遊技球Ｂが放出口５６ａ，５６ｂの直前まで転動したときには、上記三つのランプ６５ａ，６５ｂ，６５ｃ全ての鏡面部５９ａ，５９ｂへの光路が遮られ、結果、当該鏡面部５９ａ，５９ｂは最も暗くなる。このように、鏡面部５９ａ，５９ｂにおける輝度の差異によっても、ミラーイメージを直視するのと同様、球誘導路６２内における遊技球Ｂの存在およびその通行状況さらには大まかな存在位置を即時に把握することができる。
【００３９】
次に、本発明のパチンコ機として好適な第三の実施形態を図面を参照しつつ説明する。本実施形態に係るパチンコ機は、遊技盤１に装備されるセンター役物７０の形態が異なる他は、上記第一の実施形態で説明したものと同様である。以下、本実施形態に係るセンター役物７０について詳述する。
【００４０】
図１０に示すように、本センター役物７０は、上述の第一の実施形態に係るセンター役物２０とほぼ同様の外観形状を有している。すなわち、液晶ディスプレイ７１を組み込んだ枠状に成形された合成樹脂製の本体部７０ａを主要構成部材としており、遊技盤１（図１）の中央部に設けられた取付け開口部（図示せず）にビスｖによって取り付けられている。この本体部７０ａの液晶ディスプレイ７１の上方から側方にかけて、本体部７０ａの表面材によって一部遮蔽された状態で本パチンコ機におけるワープ経路に相当する球誘導路７５ａ，７５ｂが左右対称に形成されている。而して、図１０に示すように、液晶ディスプレイ７１の上方のほぼ中央部には、上記球誘導路７５ａ，７５ｂに連通するワープ入口すなわち導入口７４が形成されている。而して、上記第一実施形態と同様、液晶ディスプレイ７１の上方であってひさし状に遊技盤１前方に突出した部分の中央付近には、上記導入口７４方向へ下がり傾斜が形成された誘導部が設けられており、そこに当たった遊技球Ｂを導入口７４内に誘導することができる。また、上記第一実施形態と同様、導入口７４内方の奥壁部は三角柱状に出っ張っており、当該導入口７４に入った遊技球Ｂを左右いずれかの球誘導路７５ａ，７５ｂに振り分けることができる。
【００４１】
図１０に示すように、球誘導路７５ａ，７５ｂは中央から両端に向かって下がり傾斜が設けられており、当該傾斜に沿って遊技球Ｂは転動する。而して、図１０におけるXI−XI線断面図である図１１に示すように、球誘導路７５ａ，７５ｂはその両端から垂直方向に形成されている。このため、球誘導路７５ａ，７５ｂの両端に至った遊技球Ｂは、当該垂直方向部分を落下していき、ワープ出口すなわち球誘導路７５ａ，７５ｂ末端に設けられた放出口７６ａ，７６ｂから液晶ディスプレイ７１の前方に設けられた棚板部７９上に落下する。上記センター役物２０と同様、この棚板部７９は両端部から中央部に向かって下がり傾斜が形成されており、落下した遊技球Ｂは、棚板部７９を中央方向に転動する。この棚板部７９は遊技盤前方に向かってやや下がり傾斜が設けられているため、棚板部７９の中央寄りに導かれた遊技球Ｂはそこから遊技盤１面上に放出される。
【００４２】
次に、本実施形態に係る遊技球把握手段について説明する。図１０に示すように、上記導入口７４の両側方において、上記球誘導路７５ａ，７５ｂを遮蔽する本体部７０ａ表面の一部にスリット（切り欠き部）７３ａ，７３ｂが形成されている。これにより、当該球誘導路７５ａ，７５ｂ（即ち導入口７４から上記垂直方向部分に至る部分）を転動する遊技球Ｂを直接視認することができる。
【００４３】
次に、本実施形態に係る排球表示部について説明する。図１０に示すように、球誘導路７５ａ，７５ｂの上記垂直方向部分を構成する誘導路前面部７７には、複数箇所（ここでは左右各６箇所）の開口部７７ａが設けてある。而して、図１１に示すように、この開口部７７ａには、それぞれ、報知板７８が装着されている。すなわち、図１１に示すように、これら報知板７８は、その一方の端部が外部に露出し他方の端部が球誘導路７５ａ，７５ｂ内に突き出された状態で、さらにシーソー状に両端部が上下に揺動可能な状態で、当該開口部７７ａに設けられた取付け軸（図示せず）に取付けられている。このとき、報知板７８の外部露出部分のほうが球誘導路内部分よりも重たくなるように取付けられており、さらに自然状態時においてほぼ水平となる（即ち非加重時においても重い外部露出側が下がり状態とならない）ように装備されている（図１１参照）。
このようにして報知板７８を開口部７７ａに設けることによって本実施形態における排球表示部が構成されている。而して、この排球表示部を設けた結果、遊技者は、球誘導路７５ａ，７５ｂを通行（ここでは落下）している遊技球Ｂが放出口７６ａ，７６ｂを介してもうすぐ遊技盤面側露出部分（ここでは棚板部７９）に再び解放されるところであることならびにその存在位置を大まかに把握することができる。以下、このことを説明する。
【００４４】
図１１に示すように、遊技球Ｂが球誘導路７５ａ，７５ｂを落下してくると、先ず最上部の報知板７８の球誘導路内部分に接触する。すると、当該報知板７８の荷重バランスが崩れ、報知板７８の外部露出部分が一度持ち上がる。そして、遊技球Ｂとの接触が終わればまた水平状態に戻る。而して、この報知板７８の動きが最上部の報知板７８から最下部の報知板７８にかけて次々と時間をずらして（即ち遊技球Ｂの落下に合わせて）生じることとなる。
これにより、センター役物７０正面側にいる遊技者には、当該複数の報知板７８の一連の動き（上下方向の揺動）によって、球誘導路７５ａ，７５ｂ垂直方向部分に遊技球Ｂが存在していることを感知し得、さらに球誘導路７５ａ，７５ｂ垂直方向部分のどこにその遊技球Ｂが存在しているかをリアルタイムに把握することができる。
なお、図１１に示すように、本実施形態において、球誘導路７５ａ，７５ｂ垂直方向部分を構成する本体部７０ａの内壁面には突起部８０が適当数設けられており、遊技球Ｂの落下速度を適度に保つことができる。これにより、上記複数の報知板７８の一連の動きが適度なスピードで行われることとなり、結果、遊技者は遊技球Ｂの存在を感知し易くなり、そのときの遊技球の存在位置を即時に把握することが容易となる。
【００４５】
以上のとおり、本実施形態に係る排球表示部からなる遊技球把握手段によれば、上記各実施形態におけるような遊技球Ｂのミラーイメージを視認することなく、球誘導路７５ａ，７５ｂ内における遊技球Ｂの存在および通行状況ならびにその大まかな存在位置を把握することができる。なお、本実施形態においては、上記報知板７８を球誘導路７５ａ，７５ｂ垂直方向部分に設けてあるが、これに限らず、例えば球誘導路７５ａ，７５ｂの導入口７４から垂直方向部分に至る部分に設けてもよい。そのことによって、当該部分を転動する遊技球Ｂの大まかな存在位置をリアルタイムに把握することができる入球表示部が構成される。而して、これら入球表示部と排球表示部とを組み合わせて成る遊技球把握手段によって、導入口７４から放出口７６ａ，７６ｂに至る球誘導路７５ａ，７５ｂの全域にわたってそこを通行する遊技球の存在、通行状況およびそのときの存在位置を外部から即時に把握することができる。
【００４６】
以上、本発明のパチンコ機として好適ないくつかの実施形態を説明したが本発明はこれらに限定されるものではない。例えば、他の実施形態として、上記第一の実施形態に係るセンター役物２０において、球誘導路２５ａ，２５ｂ垂直方向部分を構成する壁部であって液晶ディスプレイ２１側を向いている内方側壁部分（即ちセンター役物２０正面側からはみえない部分）の一部または全部を透明または半透明に形成することによって遊技球把握手段を構成してもよい。この場合、遊技者が角度を変えて当該部分を視認することによってその中を通行している遊技球の存在および通行状況を把握することができる。
また、上記各実施形態は、物理的（機械的）あるいは光学的手段によって上記遊技球把握手段（典型的には排球表示部および／または入球表示部）を構成しているが、これに変えて電気的報知手段によってもよい。例えば、導入口に隣接する球誘導路および放出口に隣接する球誘導路に近接スイッチ等の球検出スイッチを設けておき、遊技球がそこを通過すると遊技盤面上の所定の位置に設けた報知部が作動するようにしてもよい。例えば、そのような報知部としてスピーカ（またはランプ）を備えておき、導入口に遊技球が受け入れられた際にその旨を報知する音を発生（またはランプを点灯）させ、そして当該遊技球が放出口を通過した際にはその旨が報知されるように上記音を停止（またはランプを消灯）するとよい。このような電気的手段によって遊技球把握手段を構成しても、遊技者は、球誘導路内における遊技球の存在を感知し、その通行状況を把握することができる。
【００４７】
【発明の効果】
本発明によれば、遮蔽されたワープ経路における遊技球の通行状況を遊技者が把握することのできるパチンコ機が提供される。
すなわち、本発明のパチンコ機によれば、遊技者は遊技盤の正面側（即ちパチンコ機の正面側）から遮蔽されている上記球誘導路における遊技球の存在を感知し、当該遊技球の通行状況を把握することができる。従って、本発明によれば、球誘導路に受け入れられた遊技球の行方が判らなくなることに起因するパチンコ遊技に対する不信感や焦燥感（苛立ち）が遊技者に生じるのを効果的に抑止することができる。
【図面の簡単な説明】
【図１】一実施形態に係る本発明のパチンコ機に装着される遊技盤の表面構成を示す正面図である。
【図２】一実施形態に係る本発明のセンター役物の表面構成を示す正面図である。
【図３】図２におけるIII −III 線断面図である。
【図４】図２におけるIV−IV線断面図である。
【図５】図２におけるV −V 線断面図である。
【図６】図２におけるVI−VI線断面図であって、回転ローラの一作動状態を説明する図である。
【図７】図２におけるVI−VI線断面図であって、回転ローラの一作動状態を説明する図である。
【図８】一実施形態に係る本発明のセンター役物および導入口の表面構成を示す正面図である。
【図９】図８におけるIX−IX線断面図である。
【図１０】一実施形態に係る本発明のセンター役物の表面構成を示す正面図である。
【図１１】図１０におけるXI−XI線断面図である。
【符号の説明】
１  遊技盤
１ａ  パネル部材
６ａ  第１種始動口
２０，５０，７０  センター役物
２４，６０ａ，６０ｂ，７４  導入口
２５ａ，２５ｂ，６２，７５ａ，７５ｂ  球誘導路
２６ａ，２６ｂ，５６ａ，５６ｂ，７６ａ，７６ｂ  放出口
２７ａ，２７ｂ，２８，５９ａ，５９ｂ  鏡面部
２９，５７，７９  棚板部
６５ａ，６５ｂ，６５ｃ  ランプ
７８  報知板
Ｂ  遊技球
【図１】
0004433101.tif 000002
【図２】
0004433101.tif 000003
【図３】
0004433101.tif 000004
【図４】
0004433101.tif 000005
【図５】
0004433101.tif 000006
【図６】
0004433101.tif 000007
【図７】
0004433101.tif 000008
【図８】
0004433101.tif 000009
【図９】
0004433101.tif 000010
【図１０】
0004433101.tif 000011
【図１１】
0004433101.tif 000012